(57)【要約】【課題】通信端末のユーザが特に意識することなく該ユーザ自らの使用状況に最も適した形式での情報配信を受けることができる情報配信装置、情報配信方法、プログラム、及びシステムを提供することである。【解決手段】通信端末１４０に情報を配信する情報配信装置１１０であって、配信形式が異なる複数の配信データを格納する配信データ格納部１２１と、通信端末１４０から通信端末１４０の各機能の使用頻度を示す使用頻度情報を含む端末情報を受信する端末情報受信部と、端末情報受信部が受信した端末情報に含まれる使用頻度情報に基づいて、通信端末１４０に配信する配信情報の配信形式を決定する配信形式決定部と、配信形式決定部が決定した配信形式と適合する配信形式の配信データを、配信データ格納部１２１から抽出する配信データ抽出部と、配信データ抽出部が抽出した配信データを、通信端末１４０に配信すべき配信情報として送信する送信部とを備える。【選択図】図１
2010250430.tif 000002
【特許請求の範囲】
【請求項１】
通信端末に情報を配信する情報配信装置であって、
配信形式が異なる複数の配信データを格納する配信データ格納部と、
前記通信端末から当該通信端末の各機能の使用頻度を示す使用頻度情報を含む端末情報を受信する端末情報受信部と、
前記端末情報受信部が受信した前記端末情報に含まれる前記使用頻度情報に基づいて、前記通信端末に配信する配信情報の配信形式を決定する配信形式決定部と、
前記配信形式決定部が決定した前記配信形式と適合する配信形式の配信データを、前記配信データ格納部から抽出する配信データ抽出部と、
前記配信データ抽出部が抽出した前記配信データを、前記通信端末に配信すべき配信情報として送信する送信部と
を備える情報配信装置。
【請求項２】
前記端末情報受信部は、
前記通信端末から、前記使用頻度情報の他に当該通信端末の各種スペックを示すスペック情報を更に含む端末情報を受信し、
前記配信形式決定部は、
前記配信データの配信形式毎に前記通信端末の各種スペックの許容値を定義しており、前記使用頻度情報を基に決定した配信形式に対し、前記スペック情報の値が前記定義された対応する各種スペックの許容値を満たしていれば、当該配信形式を前記配信情報の配信形式として決定する
請求項１に記載の情報配信装置。
【請求項３】
配信先の前記通信端末への接続情報を格納する配信先情報格納部と、
前記配信先情報格納部が格納する配信先の前記通信端末への接続情報に基づいて、当該通信端末へ前記端末情報の送信を要求する端末情報要求送信部と
をさらに備え、
前記受信部は、
前記端末情報要求送信部が送信した前記端末情報の送信の要求を受けて前記通信端末が送信した前記端末情報を受信する
請求項１又は２に記載の情報配信装置。
【請求項４】
通信端末に情報を配信する情報配信方法であって、
配信形式が異なる複数の配信データを配信データ格納部に格納する配信データ格納ステップと、
前記通信端末から当該通信端末の各機能の使用頻度を示す使用頻度情報を含む端末情報を受信する端末情報受信ステップと、
前記端末情報受信ステップにおいて受信された前記端末情報に含まれる前記使用頻度情報に基づいて、前記通信端末に配信する配信情報の配信形式を決定する配信形式決定部と、
前記配信形式決定ステップにおいて決定された前記配信形式に基づいて、前記配信データ格納部から配信データを抽出する配信データ抽出ステップと、
前記配信データ抽出ステップにおいて抽出された前記配信データを、前記通信端末に配信すべき配信情報として送信する送信ステップと
を備える情報配信方法。
【請求項５】
通信端末に情報を配信するコンピュータに、
配信形式が異なる複数の配信データを配信データ格納部に格納する配信データ格納手順、
前記通信端末から当該通信端末の各機能の使用頻度を示す使用頻度情報を含む端末情報を受信する端末情報受信手順、
前記端末情報受信手順において受信された前記端末情報に含まれる前記使用頻度情報に基づいて、前記通信端末に配信する配信情報の配信形式を決定する配信形式決定手順、
前記配信形式決定手順において決定された前記配信形式に基づいて、前記配信データ格納部から配信データを抽出する配信データ抽出手順、
前記配信データ抽出手順において抽出された前記配信データを、前記通信端末に配信すべき配信情報として送信する送信手順
を実行させるためのプログラム。
【請求項６】
自端末の各機能の使用頻度を示す使用頻度情報を格納する通信端末と、
前記通信端末に情報を配信する情報配信装置と
を備えるシステムであって、
前記情報配信装置は、
配信形式が異なる複数の配信データを格納する配信データ格納部と、
前記通信端末から当該通信端末の各機能の使用頻度を示す使用頻度情報を含む端末情報を受信する端末情報受信部と、
前記端末情報受信部が受信した前記端末情報に含まれる前記使用頻度情報に基づいて、前記通信端末に配信する配信情報の配信形式を決定する配信形式決定部と、
前記配信形式決定部が決定した前記配信形式に基づいて、前記配信データ格納部から配信データを抽出する配信データ抽出部と、
前記配信データ抽出部が抽出した前記配信データを、前記通信端末に配信すべき配信情報として送信する送信部と
を有するシステム。
【発明の詳細な説明】
【技術分野】
【０００１】
本発明は、情報を配信する情報配信装置及び情報配信方法、情報配信装置用のプログラム、及び情報配信装置を含むシステムに関する。
【背景技術】
【０００２】
情報配信システムにあっては、各種情報の配信先となる携帯電話等の通信端末の画面サイズ、解像度、メモリサイズ、又は大容量データダウンロードが可能か否か等の性能を考慮し、配信情報に対して通信端末で表示可能なサイズや形式へのデータ加工を行って配信を行っている。具体的には、画像データのサイズを縮小したり、ＪＰＥＧ（Ｊｏｉｎｔ  Ｐｈｏｔｏｇｒａｐｈｉｃ  Ｅｘｐｅｒｔｓ  Ｇｒｏｕｐ）からＧＩＦ（Ｇｒａｐｈｉｃ  Ｉｎｔｅｒｃｈａｎｇｅ  Ｆｏｒｍａｔ）へ画像形式を変更したりしている。
【０００３】
しかし、このような対応は、あくまで通信端末で情報表示を可能にするための最低限の加工の範疇にとどまったものであり、個々のユーザの使用状況や嗜好に合わせた形式での情報配信を行うものではない。
【先行技術文献】
【特許文献】
【０００４】
【特許文献１】特開２００８−２２５６８７号公報
【発明の概要】
【発明が解決しようとする課題】
【０００５】
上記のような情報配信システムにあっては、通信端末を利用するユーザがデータ通信を多用するユーザであるか、音声通話を多用するユーザであるか、また、どのような通信方式を選択しているか等、個々のユーザの通信端末の使用状況が考慮されておらず、意図しない形式や手段での情報配信がおこなわれてしまう可能性があるという課題がある。
【０００６】
本発明は、上記事情を考慮してなされたもので、その目的とする所は、通信端末のユーザが特に意識することなく、該ユーザ自らの使用状況に最も適した形式での情報配信を受けることができる情報配信装置、情報配信方法、プログラム、及びシステムを提供することである。
【課題を解決するための手段】
【０００７】
上記課題を解決するために、本発明の情報配信装置によると、通信端末に情報を配信する情報配信装置であって、配信形式が異なる複数の配信データを格納する配信データ格納部と、前記通信端末から当該通信端末の各機能の使用頻度を示す使用頻度情報を含む端末情報を受信する端末情報受信部と、前記端末情報受信部が受信した前記端末情報に含まれる前記使用頻度情報に基づいて、前記通信端末に配信する配信情報の配信形式を決定する配信形式決定部と、前記配信形式決定部が決定した前記配信形式に基づいて、前記配信データ格納部から配信データを抽出する配信データ抽出部と、前記配信データ抽出部が抽出した前記配信データを、前記通信端末に配信すべき配信情報として送信する送信部とを備える。
【０００８】
本発明の情報配信方法によると、通信端末に情報を配信する情報配信方法であって、配信形式が異なる複数の配信データを配信データ格納部に格納する配信データ格納ステップと、前記通信端末から当該通信端末の各機能の使用頻度を示す使用頻度情報を含む端末情報を受信する端末情報受信ステップと、前記端末情報受信ステップにおいて受信された前記端末情報に含まれる前記使用頻度情報に基づいて、前記通信端末に配信する配信情報の配信形式を決定する配信形式決定部と、前記配信形式決定ステップにおいて決定された前記配信形式に基づいて、前記配信データ格納部から配信データを抽出する配信データ抽出ステップと、前記配信データ抽出ステップにおいて抽出された前記配信データを、前記通信端末に配信すべき配信情報として送信する送信ステップとを備える。
【０００９】
本発明のプログラムによると、通信端末に情報を配信するコンピュータに、配信形式が異なる複数の配信データを配信データ格納部に格納する配信データ格納手順、前記通信端末から当該通信端末の各機能の使用頻度を示す使用頻度情報を含む端末情報を受信する端末情報受信手順、前記端末情報受信手順において受信された前記端末情報に含まれる前記使用頻度情報に基づいて、前記通信端末に配信する配信情報の配信形式を決定する配信形式決定手順、前記配信形式決定手順において決定された前記配信形式に基づいて、前記配信データ格納部から配信データを抽出する配信データ抽出手順、前記配信データ抽出手順において抽出された前記配信データを、前記通信端末に配信すべき配信情報として送信する送信手順を実行させる。
【００１０】
本発明のシステムによると、自端末の各機能の使用頻度を示す使用頻度情報を格納する通信端末と、前記通信端末に情報を配信する情報配信装置とを備えるシステムであって、前記情報配信装置は、配信形式が異なる複数の配信データを格納する配信データ格納部と、前記通信端末から当該通信端末の各機能の使用頻度を示す使用頻度情報を含む端末情報を受信する端末情報受信部と、前記端末情報受信部が受信した前記端末情報に含まれる前記使用頻度情報に基づいて、前記通信端末に配信する配信情報の配信形式を決定する配信形式決定部と、前記配信形式決定部が決定した前記配信形式に基づいて、前記配信データ格納部から配信データを抽出する配信データ抽出部と、前記配信データ抽出部が抽出した前記配信データを、前記通信端末に配信すべき配信情報として送信する送信部とを有する。
【発明の効果】
【００１１】
以上の説明から明らかなように、本発明によれば、通信端末のユーザが特に意識することなく、自らの使用状況に最も適した形式での情報配信を受けることができる。
【図面の簡単な説明】
【００１２】
【図１】一実施形態に係る情報配信システム１００の構成を示す図である。
【図２】情報配信サーバ１２０のブロック構成の一例を示す図である。
【図３】通信端末１４０のブロック構成の一例を示す図である。
【図４】配信データ格納部１２１が格納しているデータの一例をテーブル形式で示す図である。
【図５】機能使用頻度情報格納部１４１が格納しているデータの一例をテーブル形式で示す図である。
【図６】情報を配信する情報配信シーケンスの一例を示す図である。
【発明を実施するための形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、一実施形態に係る情報配信システム１００の構成を示す図である。
情報配信システム１００は、情報配信装置１１０、複数の通信回線１５０ａ〜ｃ（以下、通信回線１５０と総称する。）、及び複数の通信端末１４０ａ〜ｈ（以下、通信端末１４０と総称する。）を備える。情報配信装置１１０は、情報配信サーバ１２０、配信データ格納部１２１、及び配信先情報格納部１２２を有する。情報配信装置１１０は、通信回線１５０に接続されており、通信回線１５０に接続された通信端末１４０に情報を配信する。
【００１５】
なお、通信回線１５０は、移動体通信網、コアネットワーク、及び例えばインターネット等のコンピュータネットワークを含む。通信端末１４０ａ〜ｄは、例えば携帯電話、ＰＤＡ等の、移動体通信で使用することができる移動通信端末である。また、通信端末１４０ｅ〜ｈは、パーソナルコンピュータ等の情報端末である。なお、通信回線１５０ａ及びｂは、それぞれ異なる通信事業者が提供する別個の移動体通信網である。
【００１６】
図２は、情報配信サーバ１２０のブロック構成の一例を示す図である。
情報配信サーバ１２０は、端末情報要求送信部１２３、端末情報受信部１２４、配信形式決定部１２５、配信データ抽出部１２６、及び送信部１２７を有する。以下、配信データ格納部１２１及び配信先情報格納部１２２が格納するデータ、通信端末１４０の動作とともに、情報配信サーバ１２０の各構成要素の動作を説明する。
【００１７】
配信データ格納部１２１は、配信形式が異なる複数の配信データを格納する。配信先情報格納部１２２は、配信先の通信端末１４０への接続情報を格納する。接続情報とは、例えばＩＰアドレス等の、通信回線１５０内で通信端末１４０を特定し得る情報である。端末情報用要求送信部１２３は、配信先情報格納部１２２が格納する配信先の通信端末１４０への接続情報に基づいて、通信端末１４０へ端末情報の送信を要求する。端末情報受信部１２４は、通信端末１４０から通信端末１４０の各機能の使用頻度を示す使用頻度情報を含む端末情報を受信する。
【００１８】
配信形式決定部１２５は、端末情報受信部１２４が受信した端末情報に含まれる使用頻度情報に基づいて、通信端末１４０に配信する配信情報の配信形式を決定する。配信データ抽出部１２６は、配信形式決定部１２５が決定した配信形式と適合する配信形式の配信データを、配信データ格納部１２１から抽出する。送信部１２７は、配信データ抽出部１２６が抽出した配信データを、通信端末１４０に配信すべき配信情報として送信する。
【００１９】
このようにして、情報配信装置１１０は、配信形式が異なる複数の配信データを配信データ格納部１２１に格納し、通信端末１４０から通信端末１４０の各機能の使用頻度を示す使用頻度情報を含む端末情報を受信し、受信された端末情報に含まれる使用頻度情報に基づいて、通信端末１４０に配信する配信情報の配信形式を決定し、決定された配信形式に基づいて、配信データ格納部１２１から配信データを抽出し、抽出された配信データを、通信端末１４０に配信すべき配信情報として送信する。
【００２０】
これにより、情報配信装置１１０は、配信先の通信端末１４０に対し、通信端末１４０の各種機能のうちユーザに利用された頻度の高い機能に適した配信形式のデータを配信することができる。
【００２１】
図３は、通信端末１４０のブロック構成の一例を示す図である。
通信端末１４０は、機能使用頻度情報格納部１４１、端末情報要求受信部１４２、端末情報生成部１４３、及び端末情報送信部１４４を有する。以下、機能使用頻度情報格納部１４１が格納するデータ、情報配信サーバ１２０の動作とともに、通信端末１４０の各構成要素の動作を説明する。
【００２２】
機能使用頻度情報格納部１４１は、通信端末１４０が有するハードウェア及びソフトウェアで実現される各機能がユーザに使用された頻度を示す情報を格納する。端末情報要求受信部１４２は、情報配信サーバ１２０から、自端末の端末情報を送信する旨の要求を受信する。端末情報生成部１４３は、機能使用頻度情報格納部１４１が格納する各機能の使用頻度を示す情報と、自端末の各種スペック情報等とを格納した端末情報を生成する。端末情報送信部１４４は、端末情報生成部１４３が生成した端末情報を情報配信サーバ１２０に送信する。
【００２３】
このようにして、通信端末は、通信端末１４０が有するハードウェア及びソフトウェアで実現される各機能がユーザに使用された頻度を示す情報を機能使用頻度情報格納部１４１に格納し、機能使用頻度情報格納部１４１が格納する各機能の使用頻度を示す情報と、自端末の各種スペック情報等とをともにした端末情報を生成し、端末情報生成部１４３が生成した端末情報を情報配信サーバ１２０に送信する。
【００２４】
図４は、情報配信サーバ１２０の配信データ格納部１２１が格納しているデータの一例をテーブル形式で示す図である。
配信データ格納部１２１は、配信情報と配信形式の組合せに対応づけて、１以上の配信データを格納する。配信形式は、テキスト形式、ＨＴＭＬ形式、動画形式等を含む。なお、本図の例では、配信データ格納部１２１は、配信情報「観光案内」の配信形式「テキスト形式」に対応づけて、配信データ「テキストデータ１」、配信データ「テキストデータ２」、及び配信データ「テキストデータ３」を格納している。また、配信データ格納部１２１は、配信情報「観光案内」の配信形式「ＨＴＭＬ形式」に対応づけて、配信データ「ＨＴＭＬデータ１」、配信データ「ＨＴＭＬデータ２」、及び配信データ「ＨＴＭＬデータ３」を格納している。また、配信データ格納部１２１は、配信情報「観光案内」の配信形式「動画形式」に対応づけて、配信データ「動画データ１」、配信データ「動画データ２」、及び配信データ「動画データ３」を格納している。
【００２５】
図５は、通信端末１４０の機能使用頻度情報格納部１４１が格納しているデータの一例をテーブル形式で示す図である。
機能使用頻度情報格納部１４１は、通信端末１４０が有するハードウェア及びソフトウェアで実現される各機能に対応づけて、使用頻度を示す情報を格納する。機能は、音声通話、テレビ電話通話、メール、ブラウザ、大容量データダウンロード等を含む。
【００２６】
なお、本図の例では、機能使用頻度情報格納部１４１は、使用頻度の数字が大きいほど、使用頻度が高い機能であることを示す。従って、本図の例では、「メール」機能の使用頻度が最も高く、「音声通話」機能、「ブラウザ」機能、「大容量データダウンロード」機能、次いで「テレビ電話通話」機能という使用頻度順であることが分かる。
【００２７】
図６は、情報配信サーバ１２０において情報を配信する情報配信シーケンスの一例を示す図である。
まず、情報配信サーバ１２０の端末情報要求送信部１２３は、配信先情報格納部１２２に格納されている情報の配信先の通信端末１４０への接続情報を参照して、当該配信先の通信端末１４０に対し、端末情報を送信するように指示する要求を送信する（Ｓ１０１）。
【００２８】
次に、通信端末１４０の端末情報要求受信部１４２は、情報配信サーバ１２０から端末情報を情報配信サーバ１２０に送信するように指示する旨の要求を受信する（Ｓ１０２）。そして、端末情報要求受信部１４２は、端末情報の送信要求を受信すると、端末情報を生成するように指示する旨の信号を、端末情報生成部１４３に送信する。
【００２９】
次に、通信端末１４０の端末情報生成部１４３は、端末情報要求受信部１４２から端末情報を生成するように指示する旨の信号を入力すると、端末情報を生成する（Ｓ１０３）。具体的には、端末情報生成部１４３は、機能使用頻度情報格納部１４１から、各機能の使用頻度を示す情報を抽出し、更に、予め定義された自端末のハードウェアや通信環境等のスペック情報を抽出する。そして、端末情報生成部１４３は、抽出したこれらの情報を合わせて、情報配信サーバ１２０に送信すべき端末情報として、端末情報送信部１４４へ出力する。次に、通信端末１４０の端末情報送信部１４４は、端末情報生成部１４３から入力した端末情報を情報配信サーバ１２０に送信する（Ｓ１０４）。
【００３０】
次に、情報配信サーバ１２０の端末情報受信部１２４は、通信端末１４０から送信された端末情報を受信する（Ｓ１０５）。そして、端末情報受信部１２４は、端末情報を受信すると、配信形式決定部１２５に対し、配信する情報の配信形式を決定するように指示する旨の信号を出力する。
【００３１】
次に、情報配信サーバ１２０の配信形式決定部１２５は、端末情報受信部１２４から配信形式を決定するように指示する旨の信号を入力すると、通信端末１４０に配信する情報の配信形式を決定する（Ｓ１０６）。具体的には、配信形式決定部１２５は、端末情報に含まれる通信端末１４０が有する各機能の使用頻度に関する情報や、当該通信端末１４０の各種スペック情報等を参照して、配信する情報の配信形式を決定する。
【００３２】
例えば、配信形式決定部１２５は、端末情報に含まれる使用頻度を示す情報に関し、例えば、大容量データダウンロード機能の使用頻度が最も高いと判定した場合、テキスト形式の配信データよりも動画形式のようなデータサイズの大きい配信データを優先的に決定する。このとき、配信形式決定部１２５は、端末情報に含まれる通信端末１４０のスペック情報に基づいて、決定した配信形式の配信データを送信することに支障がないと判定すれば、その配信データを配信データ格納部１２１から抽出するように指示する旨の信号を、配信データ抽出部１２６に出力する。
【００３３】
具体的には、配信形式決定部１２５は、配信形式毎に通信端末１４０の各種スペックの許容値を定義しており、使用頻度を基に決定した配信形式に対し、端末情報の各種スペック情報の値が定義済みの対応する各種スペックの許容値を満たしていれば、当該配信形式の配信データを送信することに支障がないと判定する。
【００３４】
次に、情報配信サーバ１２０の配信データ抽出部１２６は、配信形式決定部１２５が決定した配信形式の配信データを配信データ格納部１２１から抽出する（Ｓ１０７）。そして、配信データ抽出部１２６は、抽出した配信データを、通信端末１４０に送信すべき配信情報として送信部１２７に出力する。
【００３５】
次に、情報配信サーバ１２０の送信部１２７は、配信データ抽出部１２６が配信データ格納部１２１から抽出した配信データを、端末情報を送信した配信対象の通信端末１４０に送信する（Ｓ１０８）。
【００３６】
次に、通信端末１４０は、情報配信サーバ１２０から送信された配信データを受信する（Ｓ１０９）。そして、通信端末１４０は、情報配信サーバ１２０から送信された配信データを、自端末の表示装置や音声出力装置等によって出力する（Ｓ１１０）。この場合、通信端末１４０は、情報配信サーバ１２０から送信された配信データを出力する前に、一旦、自端末のメモリ等に保存してから出力するようにしてもよい。
【００３７】
このようにして、本実施形態の情報配信システム１００では、通信端末１４０から送信される、各種機能をユーザが使用した頻度を示す情報に基づいて、情報配信が行われる。したがって、情報配信システム１００では、ユーザの志向に合った最適な配信形式や配信手段による情報配信を行うことができる。
【００３８】
例えば、海外旅行時の観光ガイド情報を配信するにあたり、大容量データのダウンロードを多用するユーザに対しては、動画やストリーミングデータ等による、リッチコンテンツ形式による観光ガイドを優先的に配信する。また、メール等のパケット通信を多用するユーザに対しては、画像や音声データ等を含んだＨＴＭＬメール等による、ミドルコンテンツ形式による観光ガイドを優先的に配信する。また、主に音声通話やショートメッセージサービス等の基本機能を多用するユーザに対しては、ショートメッセージサービスを使用した文字情報による、シンプル形式による観光ガイドを優先的に配信する。
【００３９】
なお、上記実施形態では、情報配信サーバ１２０が情報を配信するにあたり、配信先の通信端末１４０に対し端末情報を送信するように要求する場合を例にとって説明したが、この端末情報を、情報通信１４０から自動的にアップロードするようにしてもよい。あるいは、例えば、通信端末１４０は、ユーザが通信端末１４０を携帯した状態で、特定の国、地域、街区等へ移動したタイミングで端末情報の自動アップロードを行い、これをトリガにして情報配信サーバ１２０から情報配信を行うようにしてもよい。
【００４０】
さらに、上記実施形態では、通信回線１５０を介して情報配信を行う場合についてのみ説明したが、これに限られるものではない。例えば、情報配信サーバ１２０は、倉庫やショッピングセンター等の特定施設内のイントラネット等を介して情報配信を行ったり、特定のケーブル網を介してケーブルテレビのセットボックス等の情報端末に対して情報配信を行ったりすることが考えられる。
【００４１】
上述の情報配信装置１１０は、内部にコンピュータシステムを有している。そして、上述したエリア情報送信の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。
【００４２】
また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイルであってもよい。
【００４３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００４４】
１００  情報配信システム
１１０  情報配信装置
１２０  情報配信サーバ
１２１  配信データ格納部
１２２  配信先情報格納部
１２３  端末情報要求送信部
１２４  端末情報受信部
１２５  配信形式決定部
１２６  配信データ抽出部
１２７  送信部
１４０  通信端末
１４１  機能使用頻度情報格納部
１４２  端末情報要求受信部
１４３  端末情報生成部
１４４  端末情報送信部
１５０  通信回線
【図１】
2010250430.tif 000003
【図２】
2010250430.tif 000004
【図３】
2010250430.tif 000005
【図４】
2010250430.tif 000006
【図５】
2010250430.tif 000007
【図６】
2010250430.tif 000008